(57)【要約】【課題】原稿の表裏に配置された表面用読取部と裏面用読取部のそれぞれにおいて、他方の読取部の照明部からの光の影響を受けずにシェーディング補正を行うことのできる画像読取装置を提供する。【解決手段】表面用読取部５０、裏面用読取部４０のそれぞれについて、シェーディング補正に係る読み取り動作を、互いに他方の読取部のランプを消灯させている間に行う。もしくは、シェーディング補正に係る読み取り動作を、表面用読取部と裏面用読取部との間に他方の読取部用のランプから照射された光の受光を遮る遮光部材が介在する状態で行う。【選択図】図１
2011010198.tif 000002
【特許請求の範囲】
【請求項１】
読み取り位置にある原稿の一方の面側に配置され、前記原稿の前記一方の面に照明部から光を照射しその反射光を受光することで前記原稿の前記一方の面の画像を読み取る第１読取部と、
前記原稿の他方の面側に配置され、前記原稿の前記他方の面に照明部から光を照射しその反射光を受光することで前記原稿の前記他方の面の画像を読み取る第２読取部と、
前記第１、第２読取部のそれぞれについて、シェーディング補正に係る読み取り動作を、互いに他方の読取部の照明部を消灯させている間に行う制御部と、
を有する
ことを特徴とする画像読取装置。
【請求項２】
読み取り位置にある原稿の一方の面側に配置され、前記原稿の前記一方の面に照明部から光を照射しその反射光を受光することで前記原稿の前記一方の面の画像を読み取る第１読取部と、
前記原稿の他方の面側に配置され、前記原稿の前記他方の面に照明部から光を照射しその反射光を受光することで前記原稿の前記他方の面の画像を読み取る第２読取部と、
前記第１読取部と第２読取部との間に他方の読取部用の照明部から照射された光の受光を遮る遮光部材が介在する第１状態と、介在しない第２状態とに切り替える切り替え機構と、
前記第１、第２読取部のそれぞれについて、シェーディング補正に係る読み取り動作を、前記切り替え機構によって前記第１状態を形成して行う制御部と、
を有する
ことを特徴とする画像読取装置。
【請求項３】
前記切り替え機構は、前記第１、第２読取部の少なくとも一方を、原稿の読み取り位置から所定の退避位置へ移動させることで前記第１状態を形成する
ことを特徴とする請求項２に記載の画像読取装置。
【請求項４】
前記シェーディング補正は、自読取部用の照明部を消灯して行う黒シェーディング補正である
ことを特徴とする請求項１乃至３のいずれか一項に記載の画像読取装置。
【発明の詳細な説明】
【技術分野】
【０００１】
本発明は、原稿の表面用の読取部と裏面用の読取部とを備えて原稿の表裏両面を一度に読み取り可能な画像読取装置に関する。
【背景技術】
【０００２】
原稿の表裏両面を読み取り可能な画像読取装置にあっては、読み取り対象の原稿の表面側と裏面側にそれぞれ読取部を備えて原稿の表裏両面を一度に読み取り可能に構成されたものがある。読取部は通常、読み取り対象の原稿に光を照射するランプやＬＥＤアレイなどの照明部と、この照明部が原稿に照射した光の反射光を受光するラインイメージセンサなどの受光部とを有して構成される。このため、原稿を挟んでその表裏両側に近接対向して表面用と裏面用の読取部を設ける構成では、互いに他方の読取部が照射する光の影響を受けないように配慮する必要がある。
【０００３】
たとえば、原稿の搬送経路の途中に、原稿の第１面を読み取るイメージセンサと、このイメージセンサによる読み取り位置より下流に配置されて原稿の第２面を読み取るラインセンサとを備え、原稿の第２面を読み取っている間に原稿の第１面の読み取りが終了した時点で第１面側の照明を消灯すると共に、この消灯による光量変動の影響を低減するために、ラインセンサにて読み取られた原稿の第２面の画像データのうち第１面側の照明消灯後に読み取られたデータに対して濃度補正を行うようにした画像読み取り装置がある（たとえば、特許文献１参照。）。
【先行技術文献】
【特許文献】
【０００４】
【特許文献１】特開２００７−１９５００９号公報
【発明の概要】
【発明が解決しようとする課題】
【０００５】
照明部から原稿に照射した光の反射光を受光して原稿を光学的に読み取る構成の読取部では通常、照明部の明るさ変動やイメージセンサの感度のバラつきなどによる入力画像の濃度レベルのむら(シェーディング)を補正するシェーディング補正が行われる。シェーディング補正は、照明部を点灯させた状態で白基準板を読み取る白収集と照明部を消灯させた状態で白基準板を読み取る黒収集で得た読み取りデータに基づいて、もしくは黒収集は行わずに白収集で得た読み取りデータに基づいて行われる。
【０００６】
このように、シェーディング補正は白基準板を読み取るので、表面側の読取部と裏面側の読取部との間に原稿が介在しない状態で行われる。一方、原稿読み取り時は原稿が表面側の読取部と裏面側の読取部との間に介在するので、原稿の読み取り動作時に比べて、シェーディング補正に係る読み取り動作時は、他方の読取部の照明部から受ける光の影響が大きくなる。このため、相対的にシェーディングデータが高い値（白側）を示すこととなり、原稿の「かぶり」が発生してしまう。
【０００７】
しかし、他方の読取部の照明部から受ける光の影響を低減するために表面用と裏面用の読取部を十分離して配置すると、装置サイズの拡大を招いてしまう。また、特許文献１のように画像処理を施すことで他方の読取部の照明部から受ける光の影響を修正する方法では、複雑な画像処理を要すると共に、その影響を完全に除去することは難しい。
【０００８】
本発明は、上記の問題を解決しようとするものであり、原稿の一方の面を読み取る読取部と他方の面を読み取る読取部のそれぞれにおいて、他方の読取部用の照明部からの光の影響を受けずにシェーディング補正を行うことのできる画像読取装置を提供することを目的としている。
【課題を解決するための手段】
【０００９】
かかる目的を達成するための本発明の要旨とするところは、次の各項の発明に存する。
【００１０】
［１］読み取り位置にある原稿の一方の面側に配置され、前記原稿の前記一方の面に照明部から光を照射しその反射光を受光することで前記原稿の前記一方の面の画像を読み取る第１読取部と、
前記原稿の他方の面側に配置され、前記原稿の前記他方の面に照明部から光を照射しその反射光を受光することで前記原稿の前記他方の面の画像を読み取る第２読取部と、
前記第１、第２読取部のそれぞれについて、シェーディング補正に係る読み取り動作を、互いに他方の読取部の照明部を消灯させている間に行う制御部と、
を有する
ことを特徴とする画像読取装置。
【００１１】
上記発明では、制御部は、原稿の一方の面側に配置された第１読取部と他方の面側に配置された第２読取部のそれぞれについて、シェーディング補正に係る読み取り動作を、互いに他方の読取部の照明部を消灯させている間に行うように制御する。シェーディング補正に係る読み取り動作には、自読取部の照明部を点灯させて行う白収集と自読取部の照明部を消灯させて行う黒収集があるが、ここでは、シェーディング補正に係る読み取り動作として白収集と黒収集の双方を行う構成でも、白収集のみ行う構成でもかまわない。
【００１２】
［２］読み取り位置にある原稿の一方の面側に配置され、前記原稿の前記一方の面に照明部から光を照射しその反射光を受光することで前記原稿の前記一方の面の画像を読み取る第１読取部と、
前記原稿の他方の面側に配置され、前記原稿の前記他方の面に照明部から光を照射しその反射光を受光することで前記原稿の前記他方の面の画像を読み取る第２読取部と、
前記第１読取部と第２読取部との間に他方の読取部用の照明部から照射された光の受光を遮る遮光部材が介在する第１状態と、介在しない第２状態とに切り替える切り替え機構と、
前記第１、第２読取部のそれぞれについて、シェーディング補正に係る読み取り動作を、前記切り替え機構によって前記第１状態を形成して行う制御部と、
を有する
ことを特徴とする画像読取装置。
【００１３】
上記発明では、原稿の一方の面側に第１読取部が、他方の面側に第２読取部が配置されている。また第１読取部と第２読取部との間に他方の読取部用の照明部から照射された光の受光を遮る遮光部材が介在する第１状態と、介在しない第２状態とに切り替える切り替え機構を有している。制御部は、第１、第２読取部のそれぞれについて、シェーディング補正に係る読み取り動作を、切り替え機構によって互いに他方の光の影響を受けない第１状態を形成して行う。切り替え機構は、遮光部材を移動させるものでもよいし、第１、第２読取部の少なくとも一方を移動させて第１状態を形成するものでもよい。
【００１４】
シェーディング補正に係る読み取り動作には、自読取部の照明部を点灯させて行う白収集と自読取部の照明部を消灯させて行う黒収集があるが、ここでは、シェーディング補正に係る読み取り動作として白収集と黒収集の双方を行う構成でも、白収集のみ行う構成でもかまわない。
【００１５】
［３］前記切り替え機構は、前記第１、第２読取部の少なくとも一方を、原稿の読み取り位置から所定の退避位置へ移動させることで前記第１状態を形成する
ことを特徴とする［２］に記載の画像読取装置。
【００１６】
上記発明では、第１、第２読取部の少なくとも一方を、原稿の読み取り位置から所定の退避位置へ移動させることで、第１読取部と第２読取部との間に他方の読取部用の照明部から照射された光の受光を遮る遮光部材が介在する第１状態が形成される。退避位置は、たとえば、シェーディング補正用の白基準板と対向する位置（白基準板読取位置）にすると効率がよい。
【００１７】
［４］前記シェーディング補正は、自読取部用の照明部を消灯して行う黒シェーディング補正である
ことを特徴とする［１］乃至［３］のいずれか一項に記載の画像読取装置。
【００１８】
上記発明では、自読取部用の照明部を消灯して行う黒シェーディング補正に係る読み取り動作は、他方の読取部用の照明部の光の影響を受けない状態で実施される。なお、自読取部用の照明部を点灯して行う白シェーディング補正に係る読み取り動作については、他方の読取部用の照明部の光の影響を受けない状態で実施されてもよいし、影響を受ける状態で実施されてもよい。
【発明の効果】
【００１９】
本発明の画像読取装置によれば、他方の読取部の照明部からの光の影響を受けずにシェーディング補正を行うことができる。
【図面の簡単な説明】
【００２０】
【図１】本発明の実施の形態に係る画像読取装置の機能を備えた複合機の概略構成を示すブロック図である。
【図２】本発明の第１の実施の形態に係る原稿搬送装置および裏面読取部、表面読取系の構成を示す説明図である。
【図３】図２に対して、原稿照明部を白基準板読取位置に移動させた状態を示す説明図である。
【図４】本発明の実施の形態に係る複合機のＣＰＵが行う原稿読取全体処理を示す流れ図である。
【図５】シェーディング収集補正の第１ケースにおける動作シーケンスを示す説明図である。
【図６】第１ケースにおける表面ＳＨ収集処理および裏面ＳＨ収集処理を示す流れ図である。
【図７】第１ケースにおける処理シーケンスを示す説明図である。
【図８】シェーディング収集補正の第２ケースにおける動作シーケンスを示す説明図である。
【図９】第２ケースにおける表面ＳＨ収集処理および裏面ＳＨ収集処理を示す流れ図である。
【図１０】第２ケースにおける処理シーケンスを示す説明図である。
【図１１】第２の実施の形態に係る原稿搬送装置および裏面読取部、表面読取部の構成を示す説明図である。
【図１２】シェーディング収集補正の第３ケースにおける動作シーケンスを示す説明図である。
【図１３】第３ケースにおける表面ＳＨ収集処理および裏面ＳＨ収集処理を示す流れ図である。
【図１４】第３ケースにおける処理シーケンスを示す説明図である。
【図１５】シェーディング収集補正の第４ケースにおける動作シーケンスを示す説明図である。
【図１６】第４ケースにおける表面ＳＨ収集処理および裏面ＳＨ収集処理を示す流れ図である。
【図１７】第４ケースにおける処理シーケンスを示す説明図である。
【発明を実施するための形態】
【００２１】
以下、図面に基づき本発明の各種実施の形態を説明する。
【００２２】
＜第１の実施の形態＞
図１は、本発明の第１の実施の形態に係る画像読取装置としての機能を備えた複合機１０の概略構成を示すブロック図である。複合機１０は、原稿を光学的に読み取って画像データを取得し、この画像データに基づいて原稿の複製画像を記録紙に印刷するコピー機能、読み取った原稿の画像データをファイルにして保存したり外部端末へ送信したりするスキャン機能、パーソナルコンピュータなどの外部端末から受信した印刷データに係る画像を記録紙上に形成して出力するプリント機能などを備えた装置である。
【００２３】
複合機１０は、当該複合機１０の動作を制御するＣＰＵ（Central Processing Unit）１１にバス１２を介して、ＲＯＭ（Read Only Memory）１３と、ＲＡＭ（Random Access Memory）１４と、不揮発メモリ１５と、原稿搬送装置３０と、裏面読取部４０と、表面読取系５０と、操作表示部１６と、画像処理部１７と、ハードディスク装置１８と、ネットワーク通信部１９、印刷部２０などが接続されて構成されている。
【００２４】
ＲＯＭ１３には各種プログラムや固定データが格納され、ＣＰＵ１１はこれらのプログラムに従って各種の処理を実行することによって複合機１０として各機能が実現される。ＲＡＭ１４はＣＰＵ１１がプログラムを実行する際に各種のデータを一時的に格納するワークメモリや画像データを一時記憶する画像メモリとして使用される。
【００２５】
不揮発メモリ１５は、電源をオフしてもその記憶内容が保持される書き換え可能なメモリであり、複合機１０に対して設定された各種の設定内容（設定値）やユーザ情報などが記憶される。
【００２６】
操作表示部１６は、各種の操作画面を表示する機能と、ユーザから各種の操作を受ける機能を果たす。操作表示部１６は、表示器としての液晶ディスプレイと、モード選択ボタン、スタートボタン、ストップボタン、テンキーなどの各種ボタン類と、液晶ディスプレイの表面に設けられて押下された座標位置を検出するタッチパネルなどで構成される。
【００２７】
画像処理部１７は画像データに対して、画像補正、回転、拡大／縮小、圧縮／伸張など各種の画像処理を施す。ハードディスク装置１８は、大容量不揮発の記憶装置である。ハードディスク装置１８は、読み取った原稿の画像データや外部端末から受信した印刷データあるいはこれをＣＰＵ１１でラスタライズして得た画像データなどの保存に使用される。
【００２８】
ネットワーク通信部１９は、ＬＡＮ（Local Area Network）などのネットワークを通じてホストコンピュータなどの外部端末と印刷データや各種のデータを送受信する機能を果たす。
【００２９】
印刷部２０は、入力される画像データに応じた画像を記録紙に印刷して出力する機能を果たす。印刷部２０は、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の画像形成方式のプリンタであっても構わない。
【００３０】
図２は、原稿搬送装置３０および裏面読取部４０、表面読取系５０の構成を示している。原稿搬送装置３０は、原稿台３１にセットされている原稿Ｍを、１枚ずつ分離して繰り出し、原稿の表面読取位置Ｆおよびその少し下流の裏面読取位置Ｒを経由する通紙パスＨに沿って搬送し、原稿排紙トレイ３２へ排紙する機能を果たす。通紙パスＨは、当該通紙パスＨに沿って配置された複数組の搬送ローラ３３やガイド板などで構成される。これら搬送ローラ３３は図示省略のモータによって回転駆動され、このモータの駆動・停止はＣＰＵ１１によって制御される。通紙パスＨは横向きＵ字状に形成されており、表面読取位置Ｆおよび裏面読取位置Ｒでは原稿の表面が下側となり、原稿の裏面が上側を向いている。
【００３１】
裏面読取部４０は、裏面読取位置Ｒにある原稿にその裏面側から光を照射するランプ４１と、その反射光を受光して原稿裏面を、原稿の搬送方向（副走査方向）と直行する主走査方向に１ライン分読み取る密着型のラインイメージセンサ（ＣＩＳ（Contact Image Sensor））４２とを備えて構成される。ランプ４１はＬＥＤアレイなどで構成される。裏面読取部４０は、原稿搬送装置３０によって原稿を副走査方向に搬送させながら主走査方向（副走査方向に対して原稿面上で直交する方向）へのライン単位の読み取り動作を繰り返すことで原稿の裏面を２次元画像として読み取る。
【００３２】
また、裏面読取部４０に近接対向させて白基準板４３が取り付けられている。裏面読取部４０と白基準板４３との間は通紙パスＨの一部をなしており、裏面読取部４０と白基準板４３の間隔は、読み取り対象として予定している最大厚の原稿１枚の厚みより少し大きい程度に設定されている。
【００３３】
裏面読取位置Ｒにある原稿の裏面の画像を読み取る場合は、ランプ４１を点灯し、その光が原稿の裏面に照射され、その反射光をラインイメージセンサ４２で受光する。裏面読取部４０のシェーディング補正を行う場合は、裏面読取部４０と白基準板４３との間に原稿が存在しない状態でランプ４１を点灯し、その光が白基準板４３に照射され、その反射光をラインイメージセンサ４２で受光する。また、ランプ４１を消灯した状態で白基準板４３を読み取ることも行われる。
【００３４】
表面読取系５０は平箱状の筐体５３を備えており、該筐体５３の上面に開設された開口には、フラットベット型スキャナとして使用される際に読み取り対象の原稿が載置される長方形のプラテンガラス５１と、原稿搬送装置３０によって搬送される原稿の表面読取位置Ｆに透明なコンタクトガラス５２がプラテンガラス５１の一方の端部から所定距離離されて配置されている。プラテンガラス５１とコンタクトガラス５２は透明で光を透過するが筐体５３の他の部分（特に天板５３ａ）は光を透過しない部材で形成されている。プラテンガラス５１は読み対象の最大原稿サイズを内包する大きさの平ガラスであり、コンタクトガラス５２は表面読取位置Ｆにある原稿の主走査方向の最大長よりやや長く、幅が１ｃｍ程度の細長い長方形の平ガラス板となっている。
【００３５】
プラテンガラス５１とコンタクトガラス５２の間にあって光を透過しない天板５３ａの内側の面の所定箇所には白基準板６０は取り付けられている。
【００３６】
表面読取系５０は、縮小光学系で構成されており、原稿の読み取り位置とラインイメージセンサが離れて配置されている。詳細には、筐体５３内に、プラテンガラス５１またはコンタクトガラス５２を通して原稿に光を照射するためのランプ５４と原稿からの反射光Ｌを反射するミラー５５とを備えた原稿照明部５６と、原稿照明部５６をプラテンガラス５１の下面に沿って矢印Ｘで示す方向に往復移動させる図示しない移動機構と、原稿からの反射光Ｌを受光しその光強度に応じた電気信号（アナログ画像信号）を出力するラインイメージセンサ５７と、原稿照明部５６のミラー５５で反射された反射光Ｌをラインイメージセンサ５７へ導くための光路を形成する複数の反射ミラー５８と、反射ミラー５８によって導かれた反射光Ｌをラインイメージセンサ５７へ集光する集光レンズ５９とを備えて構成される。
【００３７】
移動機構は図示しないモータによって原稿照明部５６および反射ミラー５８を移動させ、該モータの駆動はＣＰＵ１１によって制御される。表面読取位置Ｆにある原稿の表面の画像を読み取る場合には、原稿照明部５６は、表面読取位置Ｆおよびコンタクトガラス５２の真下となる原稿読取位置Ｓに移動される。原稿読取位置Ｓにてランプ５４を点灯すると、その光がコンタクトガラス５２を通して表面読取位置Ｆにある原稿に向けて照射され、この原稿からの反射光Ｌがミラー５５に入光し、反射ミラー５８および集光レンズ５９を経てラインイメージセンサ５７に受光されて表面読取位置Ｆにある原稿の表面の画像が読み取られる。
【００３８】
表面読取系５０のシェーディング補正を行う場合は、図３に示すように、原稿照明部５６を白基準板６０の中央真下の白基準板読取位置Ｗに移動させ、ランプ５４を点灯して光を白基準板６０に向けて照射し、白基準板６０からの反射光Ｌがミラー５５に入光し、反射ミラー５８および集光レンズ５９を経てラインイメージセンサ５７に受光されて白基準板６０を読み取る。また、ランプ５４を消灯した状態で白基準板６０を読み取ることも行われる。
【００３９】
プラテンガラス５１に載置された原稿を読み取る場合には、原稿照明部５６がランプ５４を点灯させた状態でプラテンガラス５１の下面に沿って矢印Ｘ方向へ移動させ、この移動中の原稿からの反射光Ｌをミラー５５、反射ミラー５８および集光レンズ５９を経てラインイメージセンサ５７で受光することによって原稿の表面の画像を２次元画像として読み取るようになっている。
【００４０】
次に、原稿搬送装置３０で原稿を搬送し、その原稿の表裏両面を同時に読み取る場合の動作について説明する。
【００４１】
ＣＰＵ１１は、原稿の読み取りに際して、裏面読取部４０や表面読取系５０のランプ４１、５４の明るさの変動やラインイメージセンサ４２、５７の感度のバラつきなどによる入力画像の濃度レベルのむら(シェーディング)を補正するシェーディング補正を行う。シェーディング補正は白側の濃度を補正する白シェーディング補正と黒側の濃度を補正する黒シェーディング補正の一方もしくは双方により行われる。白シェーディング補正に係る読み取り動作は、ランプを点灯させた状態で白基準板を読み取る（各画素の濃度の信号値を取得する）動作であり、白収集と呼ぶものとする。黒シェーディング補正に係る読み取り動作は、ランプを消灯させた状態で白基準板を読み取る（各画素の濃度の信号値を取得する）動作であり、黒収集と呼ぶものとする。
【００４２】
たとえば、白収集で得た画素毎の濃度の信号値をその画素の最白の信号値とし、黒収集で得た画素毎の濃度の信号値をその画素の最黒の信号値とし、各画素についてその最白の信号値と最黒の信号値との間の信号範囲が目的の階調数（たとえば、２５６階調）となるように各階調値に対する閾値を設定することでシェーディング補正が行われる。なお、画素毎に閾値を設定することが好ましいが、シェーディング補正に係るデータ処理の処理量軽減および処理速度向上などのために、１ラインを複数のブロックに分け、ブロック毎に閾値を決定するようにされてもよい。この場合、各ブロックにおける最白や最黒の代表値は、ブロック内の平均値やその他の統計的手法によって決定することができる。また１ライン全体を１ブロックとしてもよい。
【００４３】
さらに、黒収集を省略し、白収集で得たデータのみでシェーディング補正を行うように構成されてもよい。この場合、最黒に対応する信号値は予め設定された値を使用する。たとえば、信号値「０」を最黒とするなどが行われる。なお、以後、黒収集、白収集の総称をシェーディング収集（ＳＨ収集）とする。
【００４４】
図４は、原稿搬送装置３０で原稿を連続的に読み取る場合におけるシェーディング収集の動作の全体シーケンスを制御する原稿読取全体処理の流れを示している。ここでは、裏面読取部４０と表面読取系５０を使用することで各原稿の表裏両面を同時に１回の通紙にて読み取ると共に、読み取り中の原稿と次原稿との間(紙間)でシェーディング補正を行うようになっている。すなわち、次原稿ありかつシェーディング補正を実施する所定条件が満たされる場合に、シェーディング補正を実施する。実施の条件としては、ランプ点灯時間によって光量低下や色味の変化が生じるので、前回のシェーディング補正から所定時間の経過を、再度のシェーディング補正実施の条件とするなどがある。なお、１枚目の原稿の読み取り開始前に行うシェーディング補正についても、紙間で行われるシェーディング補正に準じた動作で行われる。
【００４５】
シェーディング補正に関連してＣＰＵ１１が行う処理としては、図４の原稿読取全体処理とは別に、表面読取系５０のシェーディング収集に関する動作を制御する表面シェーディング収集処理（表面ＳＨ収集処理）および裏面読取部４０のシェーディング収集に関する動作を制御する裏面シェーディング収集処理（裏面ＳＨ収集処理）があり、ＣＰＵ１１はこれらの処理と原稿読取全体処理との間で要求（ＳＨ収集開始要求）や通知（完了通知など）をやり取りしてシェーディング補正に関する動作を進めるようになっている。
【００４６】
ＣＰＵ１１は、原稿搬送装置３０に設けられている原稿有無検知センサによって読み取り対象となる原稿の有無を検知するようになっている。読み取り対象の原稿を原稿搬送装置３０によって搬送し、この搬送中に表面読取位置Ｆにて原稿の表面を表面読取系５０によって読み取り、かつ同時に原稿の裏面を裏面読取位置Ｒにて裏面読取部４０によって読み取る。この読み取り中の原稿の搬送中に原稿有無検知センサによって次原稿の有無を検出し、次原稿がある場合は（ステップＳ１０１；Ｙｅｓ）、ステップＳ１０２以降の処理を、次原稿がない場合は（ステップＳ１０１；；Ｎｏ）はステップＳ１１２以降の処理を行う。
【００４７】
次原稿がある場合は（ステップＳ１０１；Ｙｅｓ）、表面の読み取り終了、または裏面の読み取り終了を待機する（ステップＳ１０２；Ｎｏ、ステップＳ１０３；Ｎｏ）。そして、表面の読み取りが裏面の読み取りより先に終了した場合は（ステップＳ１０２；Ｙｅｓ）、表面ＳＨ収集処理に対してＳＨ収集開始要求を送信してその処理を開始させる（ステップＳ１０４）。その後、裏面の読み取りが終了すると（ステップＳ１０５；Ｙｅｓ）、裏面ＳＨ収集処理に対してＳＨ収集開始要求を送信してその処理を開始させて（ステップＳ１０６）、ステップＳ１１０へ移行する。
【００４８】
裏面の読み取りが表面の読み取りより先に終了した場合は（ステップＳ１０３；Ｙｅｓ）、裏面ＳＨ収集処理に対してＳＨ収集開始要求を送信してその処理を開始させる（ステップＳ１０７）。その後、表面の読み取りが終了すると（ステップＳ１０８；Ｙｅｓ）、表面ＳＨ収集処理に対してＳＨ収集開始要求を送信してその処理を開始させて（ステップＳ１０９）、ステップＳ１１０へ移行する。
【００４９】
ステップＳ１１０では、裏面読取部４０に係るシェーディング収集処理（裏面ＳＨ収集処理）の完了を待ち(ステップＳ１１０；Ｎｏ)、完了（裏面ＳＨ収集処理完了通知を受信）すると（ステップＳ１１０；Ｙｅｓ）さらに表面読取系５０に係るシェーディング収集処理の完了を待ち（ステップＳ１１１；Ｎｏ）、完了（表面ＳＨ収集処理完了通知を受信）すると(ステップＳ１１１；Ｙｅｓ)、次原稿の読み取りを行う。これに伴い、本処理がステップＳ１０１から再び実行される。
【００５０】
次原稿がない場合は（ステップＳ１０１；Ｎｏ）、表面の読み取り終了、または裏面の読み取り終了を待機し（ステップＳ１１２；Ｎｏ、ステップＳ１１３；Ｎｏ）、表面の読み取りが裏面の読み取りより先に終了した場合は（ステップＳ１１２；Ｙｅｓ）、表面読取系５０のランプ５４を消灯し(ステップＳ１１４)、さらに裏面の読み取りが終了したら(ステップＳ１１５；Ｙｅｓ)、裏面読取部４０のランプ４１を消灯して処理を終了する。
【００５１】
裏面の読み取りが表面の読み取りより先に終了した場合は（ステップＳ１１３；Ｙｅｓ）、裏面読取部４０のランプ４１を消灯し(ステップＳ１１７)、さらに表面の読み取りが終了したら(ステップＳ１１８；Ｙｅｓ)、表面読取系５０のランプ５４を消灯して（ステップＳ１１９）処理を終了する。
【００５２】
なお、図２、図３に示す構成では裏面読取位置Ｒが表面読取位置Ｆの下流に存在するので、表面の読み取りは常に裏面の読み取りより先に完了することになるが、図４の処理は裏面読取位置Ｒが表面読取位置Ｆの上流にあるような構成にも対応可能な処理になっている。
【００５３】
次に、表面読取系５０と裏面読取部４０のシェーディング収集処理に係る動作の制御について説明する。なお、以後の例では、原稿と次原稿との紙間で行うシェーディング収集を例に説明するが、１枚目の原稿の読み取り開始前に行われるシェーディング収集も紙間の場合に準じて行われる。
【００５４】
図２、図３に示す構成では、原稿照明部５６が図３に示す白基準板読取位置Ｗにあるときは遮光性のある天板５３ａの介在により裏面読取部４０および表面読取系５０は互いに他方のランプ４１、５４からの光の影響を受けることなくシェーディング収集を行うことができる。すなわち、白基準板読取位置Ｗに原稿照明部５６を移動させて行う表面読取系５０のシェーディング収集中は互いの光の影響を受けることはない。
【００５５】
一方、表面読取系５０の原稿照明部５６が図２に示す原稿読取位置Ｓにあるときは、ランプ４１、５４の光がコンタクトガラス５２を通過すると共にシェーディング収集するときは裏面読取部４０と表面読取系５０のコンタクトガラス５２との間に原稿が介在しないので、裏面読取部４０および表面読取系５０は互いに他方のランプ４１、５４からの光の影響を受けてしまう。
【００５６】
そこで、表面読取系５０のシェーディング収集が先に完了しても、裏面読取部４０のシェーディング収集が完了するまで、原稿照明部５６を原稿読取位置Ｓに戻さないように制御する。このときの動作を第１ケースと第２ケースに分けて説明する。
【００５７】
＜第１ケース＞
第１ケースは、裏面読取部４０の黒収集が完了するまでは原稿照明部５６を原稿読取位置Ｓに戻さないように制御する。図５は第１ケースにおけるシーケンスを示し、図６は第１ケースにおける表面ＳＨ収集処理および裏面ＳＨ収集処理の流れを示し、図７は第１ケースにおける処理シーケンスを示している。
【００５８】
原稿表面の読み取りが原稿裏面の読み取りより先に完了すると（図５と図７：Ｐ１）、原稿読取全体処理から表面ＳＨ収集処理に対して表面ＳＨ収集開始要求が送信される（図７：Ｐ２、図４：ステップＳ１０４）。これを受けた表面ＳＨ収集処理はランプ５４を消灯し（図５と図７：Ｐ３、図６：ステップＳ２０２）、さらに原稿照明部５６を原稿読取位置Ｓから白基準板読取位置Ｗへ移動させて（図６：ステップＳ２０３、図７：Ｐ４）、黒収集を行う(図５と図７：Ｐ５、図６：ステップＳ２０４)。さらに続けて表面ＳＨ収集処理はランプ５４を点灯し（図５と図７：Ｐ６、図６：ステップＳ２０５）白収集を行う(図５と図７：Ｐ７、図６:ステップＳ２０６)。
【００５９】
一方、裏面の読み取りが完了すると（図５と図７：Ｐ８）、原稿読取全体処理から裏面ＳＨ収集処理に対して裏面ＳＨ収集開始要求が送信される（図７：Ｐ９、図４：ステップＳ１０６）。これを受けた裏面ＳＨ収集処理はランプ４１を消灯して（図５と図７：Ｐ１０、図６：ステップＳ２３２）、黒収集を行い(図５と図７：Ｐ１１、図６：ステップＳ２３３)、黒収集が完了すると、裏面黒収集終了通知を表面ＳＨ収集処理に対して送信する（図５と図７：Ｐ１２、図６：ステップＳ２３４）。
【００６０】
表面ＳＨ収集処理は、表面読取系５０に係る白収集が終了し、かつ裏面ＳＨ収集処理から裏面黒収集終了通知を受信したことを条件に（図６：ステップＳ２０７；Ｙｅｓ）、原稿照明部５６を白基準板読取位置Ｗから原稿読取位置Ｓへ移動させる（図５と図７：Ｐ１３、図６：ステップＳ２０８）。すなわち、表面ＳＨ収集処理は表面読取系５０に係る白収集が終了しても、裏面読取部４０の黒収集が完了していなければ、原稿照明部５６を白基準板読取位置Ｗの位置に保持し、上記の条件が成立した時点で原稿照明部５６を原稿読取位置Ｓへ移動させる。
【００６１】
表面ＳＨ収集処理は原稿読取位置Ｓへの原稿照明部５６の移動が完了すると、該完了を示す表面ＳＨ収集処理完了通知を原稿読取全体処理に送信して通知する（図６：ステップＳ２０９、図７：Ｐ１４）。
【００６２】
裏面ＳＨ収集処理は裏面黒収集終了通知を送信した後、続けてランプ４１を点灯させて（図５．図７：Ｐ１５、図６：ステップＳ２３５）裏面読取部４０に係る白収集を行う（図５と図７：Ｐ１６、図６ステップＳ２３６）。白収集が完了すると、裏面ＳＨ収集処理は、裏面ＳＨ収集処理完了通知を原稿読取全体処理に送信して通知する（図６：ステップＳ２３７、図７：Ｐ１７）。
【００６３】
原稿読取全体処理は、表面ＳＨ収集処理完了通知と表面ＳＨ収集処理完了通知の双方を受けたら、次原稿の読取動作を開始させる（図５と図７：Ｐ１８）。
【００６４】
このように、裏面読取部４０の黒収集が完了するまでは原稿照明部５６を原稿読取位置Ｓへ移動させないので、言い換えると、原稿照明部５６を白基準板読取位置Ｗに退避させた状態で裏面読取部４０の黒収集を行うので、表面読取系５０のランプ５４の光が裏面読取部４０に係る黒収集に影響を与えることが回避される。
【００６５】
他方の読取部のランプが照射する光の影響は白収集よりも黒収集の方が大きいので、第１ケース１では黒収集時に他方のランプの影響を受けないようにしている。また表面読取系５０の白収集が終了した時点で原稿照明部５６を原稿読取位置Ｓに戻すので、裏面読取部４０の白収集終了を待つ場合（第２ケース）に比べて、次原稿の読み取り開始までの時間損失を抑えることができる。
【００６６】
＜第２ケース＞
第２ケースは、裏面読取部４０の黒収集と白収集の双方が完了するまで原稿照明部５６を原稿読取位置Ｓに戻さないように制御する。図８は第２ケースにおけるシーケンスを示し、図９は第２ケースにおける表面ＳＨ収集処理および裏面ＳＨ収集処理の流れを示し、図１０は第２ケースにおける処理シーケンスを示している。
【００６７】
原稿表面の読み取りが原稿裏面の読み取りより先に完了すると（図８と図１０：Ｐ１）、原稿読取全体処理から表面ＳＨ収集処理に対して表面ＳＨ収集開始要求が送信される（図１０：Ｐ２、図４：ステップＳ１０４）。これを受けた表面ＳＨ収集処理はランプ５４を消灯し（図８と図１０：Ｐ３、図９：ステップＳ３０２）、さらに原稿照明部５６を原稿読取位置Ｓから白基準板読取位置Ｗへ移動させて（図９：ステップＳ３０３、図１０：Ｐ４）、黒収集を行う(図８と図１０：Ｐ５、図９：ステップＳ３０４)。黒収集が完了すると、表面ＳＨ収集処理はランプ５４を点灯して（図８と図１０：Ｐ６、図９：ステップＳ３０５）白収集を行う(図８と図１０：Ｐ７、図９:ステップＳ３０６)。
【００６８】
一方、裏面の読み取りが完了すると（図８と図１０：Ｐ８）、原稿読取全体処理から裏面ＳＨ収集処理に対して裏面ＳＨ収集開始要求が送信される（図１０：Ｐ９、図４：ステップＳ１０６）。これを受けた裏面ＳＨ収集処理はランプ４１を消灯して（図８と図１０：Ｐ１０、図９：ステップＳ３３２）、黒収集を行う(図８と図１０：Ｐ１１、図９：ステップＳ３３３)。黒収集が完了するとさらに続けて、ランプ４１を点灯し（図８と図１０：Ｐ１２、図９：ステップＳ３３４）、白収集を行い(図８と図１０：Ｐ１３、図９：ステップＳ３３５)、白収集が完了すると、裏面白収集終了通知を表面ＳＨ収集処理に対して送信する（図８と図１０：Ｐ１４、図９：ステップＳ３３６）。
【００６９】
表面ＳＨ収集処理は、表面読取系５０に係る白収集が終了し、かつ裏面ＳＨ収集処理から裏面白収集終了通知を受信したことを条件に（図９：ステップＳ３０７；Ｙｅｓ）、原稿照明部５６を白基準板読取位置Ｗから原稿読取位置Ｓへ移動させる（図８と図１０：Ｐ１５、図９：ステップＳ３０８）。すなわち、表面ＳＨ収集処理は表面読取系５０に係る白収集が終了しても、裏面読取部４０に関する黒収集および白収集が完了していなければ、原稿照明部５６を白基準板読取位置Ｗの位置に保持し、上記の条件が成立した時点で原稿照明部５６を原稿読取位置Ｓへ移動させる。
【００７０】
表面ＳＨ収集処理は原稿読取位置Ｓへの原稿照明部５６の移動が完了すると、該完了を示す表面ＳＨ収集処理完了通知を原稿読取全体処理に送信して通知する（図９：ステップＳ３０９、図１０：Ｐ１６）。
【００７１】
裏面ＳＨ収集処理は裏面白収集終了通知を送信した後、続けて裏面ＳＨ収集処理完了通知を原稿読取全体処理に送信して通知する（図９：ステップＳ３３７、図１０：Ｐ１７）。原稿読取全体処理は、表面ＳＨ収集処理完了通知と裏面ＳＨ収集処理完了通知の双方を受けたら、次原稿の読取動作を開始させる（図８と図１０：Ｐ１８）。
【００７２】
このように、裏面読取部４０の黒収集および白収集が完了するまでは原稿照明部５６を原稿読取位置Ｓへ移動させないので、言い換えると、原稿照明部５６を白基準板読取位置Ｗに退避させた状態で裏面読取部４０のシェーディング収集（黒収集および白収集）を行うので、表面読取系５０のランプ５４の光が裏面読取部４０に係るシェーディング収集(黒収集および白収集)に影響を与えることが回避される。
【００７３】
＜第２の実施の形態＞
第２の実施の形態では、原稿表面の読み取りを、裏面読取部４０と同様の構成の表面読取部で行うようになっており、これに伴って原稿搬送装置の構成にも相違がある。複合機１０のその他の構成は第１の実施の形態と同様であり、その説明は省略する。また、第１の実施の形態と同一構成の部分には同一の符号を付してある。
【００７４】
図１１は、第２の実施の形態に係る原稿搬送装置７０および裏面読取部４０、表面読取部８０の構成を示している。原稿搬送装置７０は、原稿台７１にセットされている原稿を１枚ずつ分離して繰り出し、原稿の表面読取位置Ｆおよびその少し下流の裏面読取位置Ｒを経由する通紙パスＨに沿って搬送し、原稿排紙トレイ７２へ排紙する機能を果たす。通紙パスＨは、傾斜した原稿台７１からその傾斜に沿って下方へ延設され、表面読取位置Ｆおよび裏面読取位置Ｒを経た後、水平方向へ滑らかに屈曲し、略水平な原稿排紙トレイ７２へと通じている。通紙パスＨは、当該通紙パスＨに沿って配置された複数組の搬送ローラやガイド板などで構成され、搬送ローラはモータによって回転駆動され、このモータの駆動はＣＰＵ１１によって制御される。
【００７５】
裏面読取部４０は第１の実施の形態の図２、図３に示したものと同一構造であるが、第２の実施の形態では第１の実施の形態に比べて上下反転して取り付けられている。これは、第１の実施の形態では表面読取位置Ｆおよび裏面読取位置Ｒにおいて上側が原稿の裏面に下側が原稿の表面になっているが、第２の実施の形態では、通紙パスＨがストレートな経路であるため、表面読取位置Ｆおよび裏面読取位置Ｒにおいて原稿の上側が表面に下側が裏面になっていることによる。
【００７６】
表面読取部８０は、裏面読取部４０と同様の構造のものを上下反転させて裏面読取部４０の上流側に隣接して取り付けられている。表面読取部８０は、表面読取位置Ｆにある原稿にその表面側から光を照射するランプ８１と、その反射光を受光して原稿表面を、搬送方向（副走査方向）と直行する主走査方向に１ライン分読み取る密着型のラインイメージセンサ８２（ＣＩＳ）とを備えて構成される。ランプ８１はＬＥＤアレイなどで構成される。表面読取部８０は、原稿搬送装置７０によって原稿を副走査方向に搬送させながら主走査方向（副走査方向に対して原稿面上で直交する方向）へのライン単位の読み取り動作を繰り返すことで原稿の表面を２次元画像として読み取る。
【００７７】
また、表面読取部８０に近接対向させて白基準板８３が取り付けられている。表面読取部８０と白基準板８３との間は通紙パスＨの一部をなしており、表面読取部８０と白基準板８３の間隔は、裏面読取部４０の場合と同様に、予定している最大厚の原稿１枚の厚みより少し大きい程度に設定されている。
【００７８】
表面読取位置Ｆにある原稿の表面の画像を読み取る場合は、ランプ８１を点灯し、その光が原稿の表面に照射され、その反射光がラインイメージセンサ８２で受光する。表面読取部８０のシェーディング補正を行う場合は、表面読取部８０と白基準板８３との間に原稿が存在しない状態でランプ８１を点灯し、その光が白基準板８３に照射され、その反射光をラインイメージセンサ８２で受光する（白収集）。また、ランプ８１を消灯した状態で白基準板８３を読み取る黒収集も行われる。
【００７９】
次に、原稿搬送装置７０で原稿を搬送し、その原稿の表裏両面を同時に読み取る場合の動作について説明する。原稿読取全体処理は第１の実施の形態と同一であり、その説明は省略する。
【００８０】
なお、以後の例では、原稿と次原稿との紙間で行うシェーディング収集を例に説明するが、１枚目の原稿の読み取り開始前に行われるシェーディング補正も紙間の場合に準じて行われる。
【００８１】
図１１に示す構成では、表面読取部８０と裏面読取部４０とが近接して通紙パスＨを挟んで逆向きに配置されているので、特に、通紙パスＨ上に原稿が介在しなければ、裏面読取部４０および表面読取部８０は互いに他方のランプ４１、８１の光の影響を受けてしまう。そこで、互いに自読取部のシェーディング収集を、他方の読取部のランプを消灯させている間に行うように制御する。このときの動作を黒収集の場合だけ他方のランプを消灯させる第３ケースと、白収集と黒収集のいずれも他方のランプを消灯させる第４ケースに分けて説明する。
【００８２】
＜第３ケース＞
図１２は第３ケースにおけるシーケンスを示し、図１３は第３ケースにおける表面ＳＨ収集処理および裏面ＳＨ収集処理の流れを示し、図１４は第３ケースにおける処理シーケンスを示している。
【００８３】
原稿表面の読み取りが原稿裏面の読み取りより先に完了すると（図１２と図１４：Ｐ１）、原稿読取全体処理から表面ＳＨ収集処理に対して表面ＳＨ収集開始要求が送信される（図１４：Ｐ２、図４：ステップＳ１０４）。これを受けた表面ＳＨ収集処理はランプ８１を消灯する（図１２と図１４：Ｐ３、図１３：ステップＳ４０２）。
【００８４】
また、裏面の読み取りが完了すると（図１２と図１４：Ｐ４）、原稿読取全体処理から裏面ＳＨ収集処理に対して裏面ＳＨ収集開始要求が送信される（図１４：Ｐ５、図４：ステップＳ１０６）。これを受けた裏面ＳＨ収集処理はランプ４１を消灯して（図１２と図１４：Ｐ６、図１３：ステップＳ４３２）、表面ＳＨ収集処理に対して裏面ランプ消灯通知を送信する（図１２と図１４：Ｐ７、図１３：ステップＳ４３３）。
【００８５】
表面ＳＨ収集処理は裏面ランプ消灯通知を受信すると（図１３：ステップＳ４０３；Ｙｅｓ）、黒収集を開始し（図１２と図１４：Ｐ８、図１３：ステップＳ４０４）、黒収集が完了すると、表面黒収集終了通知を裏面ＳＨ収集処理に対して送信する（図１２と図１４：Ｐ１０、図１３：ステップＳ４０５）。
【００８６】
裏面ＳＨ収集処理は裏面ランプ消灯通知を送信した後、続けて黒収集を行い（図１２と図１４：Ｐ９、図１３：ステップＳ４３４）、黒収集が完了すると、裏面黒収集終了通知を表面ＳＨ収集処理に対して送信する（図１２と図１４：Ｐ１２、図１３：ステップＳ４３５）。
【００８７】
表面ＳＨ収集処理は表面側の黒収集が終了しかつ裏面黒収集終了通知を受信したことを条件に（図１３：ステップＳ４０６；Ｙｅｓ）ランプ８１を点灯して（図１２と図１４：Ｐ１３、図１３：ステップＳ４０７）、白収集を行う（図１２と図１４：Ｐ１４、図１３：ステップＳ４０８）。そして、白収集が完了すると、該完了を示す表面ＳＨ収集処理完了通知を原稿読取全体処理に送信して通知する（図１３：ステップＳ４０９、図１４：Ｐ１５）。
【００８８】
同様に裏面ＳＨ収集処理は裏面側の黒収集が終了しかつ表面黒収集終了通知を受信したことを条件に（図１３：ステップＳ４３６；Ｙｅｓ）ランプ４１を点灯して（図１２と図１４：Ｐ１６、図１３：ステップＳ４３７）、白収集を行う（図１２と図１４：Ｐ１７、図１３：ステップＳ４３８）。そして、白収集が完了すると、該完了を示す裏面ＳＨ収集処理完了通知を原稿読取全体処理に送信して通知する（図１３：ステップＳ４３９、図１４：Ｐ１８）。原稿読取全体処理は、表面ＳＨ収集処理完了通知と裏面ＳＨ収集処理完了通知の双方を受けたら、次原稿の読取動作を開始させる（図１２と図１４：Ｐ１９）。
【００８９】
このように、裏面読取部４０および表面読取部８０の各黒収集を、互いに他方のランプ４１、８１を消灯させた（すなわち、両ランプ４１、８１を消灯させた）状態で行うので、互いに他方の読取部のランプ４１、８１の光の影響を受けることなく黒収集を行うことができる。
【００９０】
なお、第３ケースでは白収集の間は他方の読取部のランプが点灯していることを許容している。これは、白収集では他方のランプの光を受けても、収集結果およびシェーディング補正に与える影響が黒収集に比べて少ないことによる。また、白収集後はランプ４１、８１を消灯させることなくそのまま次原稿の読み取りが行われるので、消灯、点灯による光量の変動を受けずに、より高い精度でシェーディング補正を行うことができる。
【００９１】
＜第４ケース＞
第４ケースでは、黒収集および白収集の双方について、互いに他方のランプを消灯した状態で行うようになっている。図１５は第４ケースにおけるシーケンスを示し、図１６は第４ケースにおける表面ＳＨ収集処理および裏面ＳＨ収集処理の流れを示し、図１７は第４ケースにおける処理シーケンスを示している。
【００９２】
原稿表面の読み取りが原稿裏面の読み取りより先に完了すると（図１５と図１７：Ｐ１）、原稿読取全体処理から表面ＳＨ収集処理に対して表面ＳＨ収集開始要求が送信される（図１７：Ｐ２、図４：ステップＳ１０４）。これを受けた表面ＳＨ収集処理はランプ８１を消灯する（図１５と図１７：Ｐ３、図１６：ステップＳ５０２）。
【００９３】
また、裏面の読み取りが完了すると（図１５と図１７：Ｐ４）、原稿読取全体処理から裏面ＳＨ収集処理に対して裏面ＳＨ収集開始要求が送信される（図１７：Ｐ５、図４：ステップＳ１０６）。これを受けた裏面ＳＨ収集処理はランプ４１を消灯して（図１５と図１７：Ｐ６、図１６：ステップＳ５３２）、表面ＳＨ収集処理に対して裏面ランプ消灯通知を送信する（図１５と図１７：Ｐ７、図１６：ステップＳ５３３）。
【００９４】
表面ＳＨ収集処理は裏面ランプ消灯通知を受信すると（図１６：ステップＳ５０３；Ｙｅｓ）、黒収集を開始する（図１５と図１７：Ｐ８、図１６：ステップＳ５０４）。すなわち、他方（裏面側）のランプが消灯された状態で黒収集を行う。表面ＳＨ収集処理は黒収集を完了した後、裏面側の黒収集の終了を待つ(図１６：ステップＳ５０５；Ｎｏ)。すなわち、裏面ＳＨ収集処理から裏面黒収集終了通知が送信されてくるのを待ち、裏面黒収集終了通知を受信すると（図１６：ステップＳ５０５；Ｙｅｓ）、ランプ８１を点灯する（図１５と図１７：Ｐ１１、図１６：ステップＳ５０６）。このように、他方（裏面側）の黒収集が完了するまで表面読取側のランプ８１を消灯させておくことで、裏面側も他方(表面側)のランプ８１が消灯された状態で黒収集を行うことができる。
【００９５】
裏面ＳＨ収集処理は裏面ランプ消灯通知を送信した後、続けて黒収集を行い（図１５と図１７：Ｐ９、図１６：ステップＳ５３４）、黒収集が完了すると、裏面黒収集終了通知を表面ＳＨ収集処理に対して送信する（図１５と図１７：Ｐ１０、図１６：ステップＳ５３５）。また、黒収集が完了すると、表面の白収集が完了するのを待つ（図１６：ステップＳ５３６；Ｎｏ）。すなわち、表面ＳＨ収集処理から表面白収集終了通知が送信されてくるのを待つ。このように、他方（表面側）の白収集が完了するまで裏面読取側のランプ４１の消灯を維持することで、表面側は他方(裏面側)のランプ４１が消灯された状態で白収集を行うことができる。
【００９６】
表面ＳＨ収集処理は裏面ＳＨ収集処理から裏面黒収集終了通知を受信すると（図１６：ステップＳ５０５；Ｙｅｓ）、ランプ８１を点灯して（図１５と図１７：Ｐ１１、図１６：ステップＳ５０６）、白収集を行う（図１５と図１７：Ｐ１２、図１６：ステップＳ５０７）。そして、白収集が完了すると、該完了を示す表面白収集終了通知を裏面ＳＨ収集処理に送信し（図１５と図１７：Ｐ１３、図１６：ステップＳ５０８）、さらにランプ８１を消灯し（図１５と図１７：Ｐ１４、図１６：ステップＳ５０９）、表面ランプ消灯通知を裏面ＳＨ収集処理に送信する（図１５と図１７：Ｐ１６、図１６：ステップＳ５１０）。
【００９７】
裏面ＳＨ収集処理は表面ＳＨ収集処理から表面白収集終了通知を受信すると（図１５と図１７：Ｐ１３、図１６：ステップＳ５３６；Ｙｅｓ）、ランプ４１を点灯する（図１５と図１７：Ｐ１５、図１６：ステップＳ５３７）。その後、さらに表面ＳＨ収集処理から表面ランプ消灯通知を受信すると（図１５と図１７：Ｐ１６、図１６：ステップＳ５３８；Ｙｅｓ）、白収集を行う（図１５と図１７：Ｐ１７、図１６：ステップＳ５３９）。すなわち、他方(表面側)のランプ８１が消灯した状態で裏面側の白収集が行われる。
【００９８】
裏面ＳＨ収集処理は白収集が完了すると、該完了を示す裏面白収集終了通知を表面ＳＨ収集処理に送信する（図１５と図１７：Ｐ１８、図１６：ステップＳ５３４０）。また、裏面ＳＨ収集処理完了通知を原稿読取全体処理に送信して通知する（図１６：ステップＳ５４１、図１７：Ｐ２１）。
【００９９】
表面ＳＨ収集処理は裏面ＳＨ収集処理から裏面白収集終了通知を受信すると（図１６：ステップＳ５１１；Ｙｅｓ）、ランプ８１を点灯し（図１５と図１７：Ｐ１９、図１６：ステップＳ５１２）、表面ＳＨ収集処理完了通知を原稿読取全体処理に送信して通知する（図１６：ステップＳ５１３、図１７：Ｐ２０）。
【０１００】
原稿読取全体処理は、表面ＳＨ収集処理完了通知と裏面ＳＨ収集処理完了通知の双方を受けたら、次原稿の読取動作を開始させる（図１５と図１７：Ｐ２２）。
【０１０１】
このように、裏面読取部４０と表面読取部８０の黒収集および白収集を、互いに他方のランプ４１、８１を消灯させた状態で行うので、互いに他方の読取部のランプ４１、８１の光の影響を受けることなく黒収集および白収集を行うことができる。
【０１０２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０３】
たとえば、第１の実施の形態では、原稿照明部５６を白基準板読取位置Ｗに移動させることで天板５３ａが遮光部材となって裏面読取部４０と表面読取系５０が互いに他方のランプの光を受光しない状態が形成されるようにしたが、遮光部材によって遮光される状態は他の方法により形成されてもかまわない。たとえば、天板５３ａが遮光部材となって裏面読取部４０と表面読取系５０が互いに他方のランプの光を受光しない状態が形成される場所であるならば白基準板読取位置Ｗ以外の場所を退避位置として原稿照明部５６を移動させてもよい。また、遮光部材を移動させる構成であってもかまわない。たとえば、コンタクトガラス５２を覆う遮光位置とコンタクトガラス５２の横の退避位置（コンタクトガラス５２を覆わない位置）とに変位する遮光板を設け、該遮光板を遮光位置に移動させることで裏面読取部４０と表面読取系５０が互いに他方のランプの光を受光しない状態を形成するように構成されてもかまわない。
【０１０４】
第１の実施の形態では、表面読取系５０を原稿照明部５６や反射ミラー５８、集光レンズ５９などを備えた縮小光学系として構成したが、ＣＩＳなどの等倍光学系とランプとが一体となった表面読取部８０のようなモジュールとし、該モジュールが原稿読取位置Ｓや白基準板読取位置Ｗなどに移動するように構成されてもよい。
【０１０５】
また実施の形態では、裏面読取部４０、表面読取部８０と対向する位置に白基準板４３、８３を固定配置したが、白基準板を、シェーディング収集時は読み取り位置に、原稿読み取り時は他の場所へ退避するように移動させる構成であってもかまわない。
【０１０６】
シェーディング収集によって収集したデータに基づいて行う補正内容は実施の形態で例示したものに限定されない。
【０１０７】
また、実施の形態では複合機１０を例に説明したが、印刷部などを具備しない装置であってもよく、原稿の同時両面読取可能な構成の画像読取装置であればよい。たとえば、ファクシミリ装置、スキャナ装置でもかまわない。
【符号の説明】
【０１０８】
１０…複合機
１１…ＣＰＵ
１２…バス
１３…ＲＯＭ
１４…ＲＡＭ
１５…不揮発メモリ
１６…操作表示部
１７…画像処理部
１８…ハードディスク装置
１９…ネットワーク通信部
２０…印刷部
３０…原稿搬送装置
３１…原稿台
３２…原稿排紙トレイ
３３…搬送ローラ
４０…裏面読取部
４１…ランプ
４２…ラインイメージセンサ
４３…白基準板
５０…表面読取系
５１…プラテンガラス
５２…コンタクトガラス
５３…筐体
５３ａ…天板
５４…ランプ
５５…ミラー
５６…原稿照明部
５７…ラインイメージセンサ
５８…反射ミラー
５９…集光レンズ
６０…白基準板
７０…原稿搬送装置
７１…原稿台
７２…原稿排紙トレイ
８０…表面読取部
８１…ランプ
８２…ラインイメージセンサ
８３…白基準板
Ｆ…表面読取位置
Ｈ…通紙パス
Ｍ…原稿
Ｌ…反射光
Ｒ…裏面読取位置
Ｓ…原稿読取位置
Ｗ…白基準板読取位置
Ｘ…原稿照明部の移動方向
【図１】
2011010198.tif 000003
【図２】
2011010198.tif 000004
【図３】
2011010198.tif 000005
【図４】
2011010198.tif 000006
【図５】
2011010198.tif 000007
【図６】
2011010198.tif 000008
【図７】
2011010198.tif 000009
【図８】
2011010198.tif 000010
【図９】
2011010198.tif 000011
【図１０】
2011010198.tif 000012
【図１１】
2011010198.tif 000013
【図１２】
2011010198.tif 000014
【図１３】
2011010198.tif 000015
【図１４】
2011010198.tif 000016
【図１５】
2011010198.tif 000017
【図１６】
2011010198.tif 000018
【図１７】
2011010198.tif 000019